(57)【要約】  コンテンツ配信システム（１）は、少なくとも、特定エリア内のサブエリアに応じた情報をコンテンツとして記憶するコンテンツ記憶部（９０）と、売上情報を取得する売上情報取得部（１０）と、売上情報を記憶する売上情報記憶部（９１）と、コンテンツの配信要求を受信する配信要求受信部（２０）と、コンテンツの配信許否を判定する配信許否判定部（３２）と、移動電子機器に配信するコンテンツを選択するコンテンツ選択部（３４）と、選択されたコンテンツを配信するコンテンツ配信部（４０）と、配信実績記憶部（９３）と、コンテンツ配信サービスの貢献ポイントを算出する貢献ポイント算出部（５０）とを備える。
2014021460.tif 000002
【特許請求の範囲】
【請求項１】
特定エリア内に存在する移動電子機器にコンテンツを配信するコンテンツ配信サービスを提供するコンテンツ配信システムであって、
少なくとも、前記特定エリア内に予め設定したサブエリアに応じた情報を前記コンテンツとして記憶するコンテンツ記憶部と、
前記特定エリア内への入場料を含む売上情報を取得する売上情報取得部と、
前記売上情報を記憶する売上情報記憶部と、
前記移動電子機器からコンテンツの配信要求を受信する配信要求受信部と、
前記配信要求を送信した前記移動電子機器へのコンテンツの配信許否を判定する配信許否判定部と、
前記配信許否判定部によって配信を許可された前記移動電子機器に配信する前記コンテンツを前記コンテンツ記憶部から選択するコンテンツ選択部と、
前記コンテンツ選択部によって選択された前記コンテンツを配信するコンテンツ配信部と、
前記コンテンツ配信部による配信の実績を示した配信実績情報を記憶する配信実績記憶部と、
前記売上情報記憶部内の前記売上情報と、配信実績記憶部内の前記配信実績情報とに基づいて、前記コンテンツ配信サービスの貢献ポイントを算出する貢献ポイント算出部と
を備えることを特徴とするコンテンツ配信システム。
【請求項２】
請求項１に記載のコンテンツ配信システムにおいて、
前記コンテンツは、前記サブエリアに応じた振動情報を含む
ことを特徴とするコンテンツ配信システム。
【請求項３】
請求項１又は請求項２に記載のコンテンツ配信システムにおいて、
前記配信許否判定部は、
何れかの前記サブエリア内から前記配信要求が送信された場合にはコンテンツの配信を許可し、前記サブエリア外から前記配信要求が送信された場合にはコンテンツの配信を拒否し、
前記コンテンツ選択部は、
前記配信要求の送信位置が属する前記サブエリアに対応する前記コンテンツを選択する
ことを特徴とするコンテンツ配信システム。
【請求項４】
請求項１から請求項３に記載のコンテンツ配信システムにおいて、
前記コンテンツ配信サービスは、無償のコンテンツである無償コンテンツ、及び／又は、有償のコンテンツである有償コンテンツを配信するサービスであって、
前記移動電子機器を識別する機器識別情報に対応付けて前記有償コンテンツの請求権を示す有償コンテンツ請求権情報を記憶する有償コンテンツ請求権情報記憶部と、
前記有償コンテンツ請求権情報を管理する有償コンテンツ請求権管理部とを更に備え、
前記コンテンツ記憶部は、
前記無償コンテンツと前記有償コンテンツと区別して記憶し、
前記売上情報取得部は、
前記有償コンテンツの購入料を含む売上情報を取得し、
前記有償コンテンツ請求権管理部は、
前記有償コンテンツの売上情報の取得に応じて、前記購入者の前記移動電子機器の前記機器識別情報に対応する前記有償コンテンツ請求権を蓄積し、ある前記移動電子機器への前記有償コンテンツの配信に応じて、前記移動電子機器の前記機器識別情報に対応する前記有償コンテンツ請求権を消費し、
前記配信要求受信部は、
前記有償コンテンツを指定した前記配信要求、又は、前記有償コンテンツを指定しない前記配信要求を受信し、
前記配信許否判定部は、
何れかの前記サブエリア内から前記有償コンテンツを指定した前記配信要求が送信され、かつ、前記有償コンテンツ請求権情報記憶部に前記配信要求を送信した前記移動電子機器を識別する機器識別情報に対応付けて、前記有償コンテンツの配信に必要となる前記有償コンテンツ請求権情報が記憶されている場合に、前記有償コンテンツの配信を許可し、
前記コンテンツ選択部は、
前記有償コンテンツを指定した前記配信要求の送信位置が属する前記サブエリアに対応する前記有償コンテンツを選択する
ことを特徴とするコンテンツ配信システム。
【請求項５】
請求項２から請求項４の何れか１項に記載のコンテンツ配信システムにおいて、
前記特定エリアは動物園であって、
前記振動情報は動物に関する振動情報である
ことを特徴とするコンテンツ配信システム。
【請求項６】
請求項２から請求項４の何れか１項に記載のコンテンツ配信システムにおいて、
前記特定エリアは鉄道博物館であって、
前記振動情報は鉄道に関する振動情報である
ことを特徴とするコンテンツ配信システム。
【請求項７】
特定エリア内に存在する移動電子機器にコンテンツを配信するコンテンツ配信サービスを提供するコンテンツ配信システムであって、
少なくとも、前記特定エリア内において発生するイベントに応じた情報を前記コンテンツとして記憶するコンテンツ記憶部と、
前記特定エリア内への入場料を含む売上情報を取得する売上情報取得部と、
前記売上情報を記憶する売上情報記憶部と、
前記移動電子機器からコンテンツの配信要求を受信する配信要求受信部と、
前記配信要求を送信した前記移動電子機器へのコンテンツの配信許否を判定する配信許否判定部と、
前記配信許否判定部によって配信を許可された前記移動電子機器に配信する前記コンテンツを前記コンテンツ記憶部から選択するコンテンツ選択部と、
前記コンテンツ選択部によって選択された前記コンテンツを配信するコンテンツ配信部と、
前記コンテンツ配信部による配信の実績を示した配信実績情報を記憶する配信実績記憶部と、
前記売上情報記憶部内の前記売上情報と、配信実績記憶部内の前記配信実績情報とに基づいて、前記コンテンツ配信サービスの貢献ポイントを算出する貢献ポイント算出部と
を備えることを特徴とするコンテンツ配信システム。
【請求項８】
請求項７に記載のコンテンツ配信システムにおいて、
前記コンテンツは、前記イベントに応じた振動情報を含む
ことを特徴とするコンテンツ配信システム。
【請求項９】
請求項７又は請求項８に記載のコンテンツ配信システムにおいて、
前記配信許否判定部は、
前記イベントの発生時刻から所定時間内に前記配信要求が送信された場合にはコンテンツの配信を許可し、前記イベントの発生時刻から所定時間内に前記配信要求が送信されなかった場合にはコンテンツの配信を拒否し、
前記コンテンツ選択部は、
前記配信要求の送信時刻前に最後に発生した前記イベントに対応する前記コンテンツを選択する
ことを特徴とするコンテンツ配信システム。
【請求項１０】
請求項７から請求項９に記載のコンテンツ配信システムにおいて、
前記コンテンツ配信サービスは、無償のコンテンツである無償コンテンツ、及び／又は、有償のコンテンツである有償コンテンツを配信するサービスであって、
前記移動電子機器を識別する機器識別情報に対応付けて前記有償コンテンツの請求権を示す有償コンテンツ請求権情報を記憶する有償コンテンツ請求権情報記憶部と、
前記有償コンテンツ請求権情報を管理する有償コンテンツ請求権管理部とを更に備え、
前記コンテンツ記憶部は、
前記無償コンテンツと前記有償コンテンツと区別して記憶し、
前記売上情報取得部は、
前記有償コンテンツの購入料を含む売上情報を取得し、
前記有償コンテンツ請求権管理部は、
前記有償コンテンツの売上情報の取得に応じて、前記購入者の前記移動電子機器の前記機器識別情報に対応する前記有償コンテンツ請求権を蓄積し、ある前記移動電子機器への前記有償コンテンツの配信に応じて、前記移動電子機器の前記機器識別情報に対応する前記有償コンテンツ請求権を消費し、
前記配信要求受信部は、
前記有償コンテンツを指定した前記配信要求、又は、前記有償コンテンツを指定しない前記配信要求を受信し、
前記配信許否判定部は、
前記イベントの発生時刻から所定時間内に前記有償コンテンツを指定した前記配信要求が送信され、かつ、前記有償コンテンツ請求権情報記憶部に前記配信要求を送信した前記移動電子機器を識別する機器識別情報に対応付けて、前記有償コンテンツの配信に必要となる前記有償コンテンツ請求権情報が記憶されている場合に、前記有償コンテンツの配信を許可し、
前記コンテンツ選択部は、
前記有償コンテンツを指定した前記配信要求の送信時刻前に最後に発生した前記イベントに対応する前記有償コンテンツを選択する
ことを特徴とするコンテンツ配信システム。
【請求項１１】
請求項１から請求項１０の何れか１項に記載のコンテンツ配信システムにおいて、
前記貢献ポイント算出部は、
前記特定エリアの特性に応じた計算式を用いて前記貢献ポイントを算出する
ことを特徴とするコンテンツ配信システム。
【請求項１２】
請求項１から請求項１１の何れか１項に記載のコンテンツ配信システムにおいて、
前記コンテンツの配信実績に応じて各コンテンツの作成者に特典を付与する特典付与部を更に備える
ことを特徴とするコンテンツ配信システム。
【発明の詳細な説明】
【技術分野】
【０００１】
本発明は、コンテンツ配信システムに関する。
本願は、２０１２年８月３日に出願された日本国特願２０１２−１７３１８７号に基づき優先権を主張し、その内容をここに援用する。
【背景技術】
【０００２】
従来、携帯端末にコンテンツを提供するコンテンツ提供システムが知られている（例えば、特許文献１参照）。特許文献１の技術は、携帯端末の位置情報に基づいて、携帯端末にコンテンツをダウンロードさせるものである。また、特許文献１には、開示されているコンテンツ提供システムが娯楽分野にも活用できる主旨の記載がある。
【先行技術文献】
【特許文献】
【０００３】
【特許文献１】日本国特開２０１１−１９１８７１号
【発明の概要】
【発明が解決しようとする課題】
【０００４】
しかしながら、従来のコンテンツ提供システムを特定エリア（例えば、動物園内、野球場内）に導入した場合、特定エリア内（特定エリア側、システムの導入者側）がシステムの導入によって享受する経済的効果を客観的に把握できない。そのため、コンテンツ提供システムを導入後のシステムの評価（例えば、集客力のアップ、売上高のアップなどのシステム導入による特定エリア内に対する貢献度の算出）が難しいという問題がある。また、視覚又は聴覚によって楽しむコンテンツでは新鮮味が少なく娯楽性が乏しい場合がある。
本発明の態様は、娯楽性が高く、且つ、コンテンツ提供システムの導入後に評価し易いコンテンツの配信技術を提供する。
【課題を解決するための手段】
【０００５】
本発明の一態様であるコンテンツ配信システムは、特定エリア内に存在する移動電子機器にコンテンツを配信するコンテンツ配信サービスを提供するコンテンツ配信システムであって、少なくとも、前記特定エリア内に予め設定したサブエリアに応じた情報を前記コンテンツとして記憶するコンテンツ記憶部と、前記特定エリア内への入場料を含む売上情報を取得する売上情報取得部と、前記売上情報を記憶する売上情報記憶部と、前記移動電子機器からコンテンツの配信要求を受信する配信要求受信部と、前記配信要求を送信した前記移動電子機器へのコンテンツの配信許否を判定する配信許否判定部と、前記配信許否判定部によって配信を許可された前記移動電子機器に配信する前記コンテンツを前記コンテンツ記憶部から選択するコンテンツ選択部と、前記コンテンツ選択部によって選択された前記コンテンツを配信するコンテンツ配信部と、前記コンテンツ配信部による配信の実績を示した配信実績情報を記憶する配信実績記憶部と、前記売上情報記憶部内の前記売上情報と、配信実績記憶部内の前記配信実績情報とに基づいて、前記コンテンツ配信サービスの貢献ポイントを算出する貢献ポイント算出部とを備えることを特徴とする。【０００６】
本発明の他の態様であるコンテンツ配信システムは、特定エリア内に存在する移動電子機器にコンテンツを配信するコンテンツ配信サービスを提供するコンテンツ配信システムであって、少なくとも、前記特定エリア内において発生するイベントに応じた情報を前記コンテンツとして記憶するコンテンツ記憶部と、前記特定エリア内への入場料を含む売上情報を取得する売上情報取得部と、前記売上情報を記憶する売上情報記憶部と、前記移動電子機器からコンテンツの配信要求を受信する配信要求受信部と、前記配信要求を送信した前記移動電子機器へのコンテンツの配信許否を判定する配信許否判定部と、前記配信許否判定部によって配信を許可された前記移動電子機器に配信する前記コンテンツを前記コンテンツ記憶部から選択するコンテンツ選択部と、前記コンテンツ選択部によって選択された前記コンテンツを配信するコンテンツ配信部と、前記コンテンツ配信部による配信の実績を示した配信実績情報を記憶する配信実績記憶部と、前記売上情報記憶部内の前記売上情報と、配信実績記憶部内の前記配信実績情報とに基づいて、前記コンテンツ配信サービスの貢献ポイントを算出する貢献ポイント算出部とを備えることを特徴とする。
【発明の効果】
【０００７】
本発明の態様によれば、娯楽性が高く、且つ、コンテンツ提供システムの導入後に評価し易いコンテンツの配信技術を提供できる。
【図面の簡単な説明】
【０００８】
【図１】第１の実施形態によるコンテンツ配信システムの機能ブロック図の一例である。
【図２】第１の実施形態によるコンテンツ記憶部に記憶される情報の一例である。
【図３Ａ】第１の実施形態によるコンテンツ配信システムの動作の一例を示すフローチャートである。
【図３Ｂ】第１の実施形態によるコンテンツ配信システムの動作の一例を示すフローチャートである。
【図３Ｃ】第１の実施形態によるコンテンツ配信システムの動作の一例を示すフローチャートである。
【図４】第２の実施形態によるコンテンツ配信システムの機能ブロック図の一例である。
【図５】第２の実施形態によるコンテンツ記憶部に記憶される情報の一例である。
【図６Ａ】第２の実施形態によるコンテンツ配信システムの動作の一例を示すフローチャートである。
【図６Ｂ】第２の実施形態によるコンテンツ配信システムの動作の一例を示すフローチャートである。
【図６Ｃ】第２の実施形態によるコンテンツ配信システムの動作の一例を示すフローチャートである。
【図７】第３の実施形態によるコンテンツ配信システムの機能ブロック図の一例である。
【図８】コンテンツ記憶部に記憶される情報の一例である。
【図９】第４の実施形態によるコンテンツ配信システムの機能ブロック図の一例である。
【図１０】コンテンツ記憶部に記憶される情報の一例である。
【発明を実施するための形態】
【０００９】
［第１の実施形態］
本発明の第１の実施形態によるコンテンツ配信システム１は、特定エリア内に存在する移動電子機器（以下、電子機器Ｔ１と称する）にコンテンツを配信するコンテンツ配信サービスを提供する。コンテンツ配信システム１を適用する特定エリア（以下、特定エリアＡ１と称する）には、予め複数のサブエリアを設定しておく。但し、特定エリアＡ１内の全ての位置が何れかのサブエリアに属するようにサブエリアを設定する必要はない。即ち、特定エリアＡ１内には、何れのサブエリアにも属さない位置が存在してもよい。特定エリアＡ１は、サブエリア毎に異なるコンテンツを配信する態様に適した空間であればよく、屋内、屋外を問わない。特定エリアＡ１の一例は、動物園、博物館（例えば、鉄道博物館）である。
【００１０】
電子機器Ｔ１は、少なくとも、ユーザによって操作される操作部、コンテンツ配信システム１と通信する通信部、機器本体（自機器）の筐体を振動させる振動部（例えば、振動モータ、リニアバイブレータ、ボイスコイルモータ）を備える。また、電子機器Ｔ１は、機器本体の筐体の位置を検出する位置検出部（例えば、ＧＰＳ）を備えていてもよい。電子機器Ｔ１は、コンテンツ配信システム１にコンテンツの配信要求を送信し、コンテンツ配信システム１からコンテンツを受信する。なお、電子機器Ｔ１は、ユーザの所有のものあってもよいし、特定エリアＡ１にて貸与されるものであってもよい。
【００１１】
図１は、コンテンツ配信システム１の機能ブロック図の一例である。図２は、コンテンツ記憶部９０に記憶される情報の一例である。
【００１２】
コンテンツ配信システム１は、図１に示すように、売上情報取得部１０、配信要求受信部２０、配信許否判定部３２、コンテンツ選択部３４、コンテンツ配信部４０、貢献ポイント算出部５０、コンテンツ記憶部９０、売上情報記憶部９１、配信実績記憶部９３、及び、ポイント記憶部９４を備える。コンテンツ配信システム１（後述のコンテンツ配信システム２−４も同様）は、１又は２以上の電子機器（例えば、サーバ、パーソナルコンピュータ、データベース、種々の通信機器）から構成される。
【００１３】
コンテンツ記憶部９０は、コンテンツ配信システム１にて配信するコンテンツを記憶する。コンテンツ記憶部９０に記憶されるコンテンツは、前記コンテンツを受信した電子機器Ｔ１の筐体を振動させる振動情報（振動ファイル、振動データ、振動パラメータ等）である。つまり、電子機器Ｔ１は、上記通信部を介して、ある振動情報を受信した場合には、上記振動部によって筐体が前記振動情報に応じて振動する。
【００１４】
なお、コンテンツ記憶部９０は、コンテンツとして、振動情報に加え、動画像情報（動画ファイル、動画データ、動画パラメータ等）、静止画像情報（静止画ファイル、静止画データ、静止画パラメータ等）、音声情報（音声ファイル、音声データ、音声パラメータ等）などを記憶してもよい。
【００１５】
具体的には、コンテンツ記憶部９０は、特定エリアＡ１内のサブエリアに応じたコンテンツ（少なくとも振動情報を含む）を記憶する。例えば、コンテンツ記憶部９０は、図２（ａ）に示すように、サブエリアを識別するサブエリアＩＤに対応付けてコンテンツを識別するコンテンツＩＤを記憶する。さらに、コンテンツ記憶部９０は、図２（ｂ）に示すように、コンテンツＩＤに対応付けてコンテンツを記憶する。なお、図２の例によれば、コンテンツ記憶部９０は、サブエリアＩＤ「Ｓ００１」のサブエリアに応じたコンテンツとして振動情報ａ、サブエリアＩＤ「Ｓ００２」のサブエリアに応じたコンテンツとして振動情報ｂ、サブエリアＩＤ「Ｓ００３」のサブエリアに応じたコンテンツとして振動情報ｄ及び動画情報ｇを記憶している。
【００１６】
売上情報取得部１０は、特定エリアＡ１内への入場料を含む売上情報を取得する。例えば、売上情報取得部１０は、特定エリアＡ１の入場口に配属された従業員の動作（例えば、キー入力）によって入力される入場料、又は、入場口における入場者の動作（例えば、近距離通信のために電子機器Ｔ１を近づける動作）を契機に発生させる入場料を含む売上情報を取得する。なお、特定エリアＡ１の入場口に設置した電子機器（特定エリアＡ１に複数の入場口が存在する場合には複数の電子機器）が売上情報取得部１０を具備してもよい。売上情報記憶部９１は、売上情報を記憶する。
【００１７】
配信要求受信部２０は、コンテンツの配信要求を電子機器Ｔ１から受信する。電子機器Ｔ１が送信する配信要求は、前記電子機器Ｔ１を識別する電子機器ＩＤ、前記電子機器Ｔ１の位置情報を含む。電子機器Ｔ１の位置情報とは、具体的には、サブエリアに関する情報である。従って、電子機器Ｔ１は、あるサブエリアに属するある位置において配信要求を送信する場合、前記電子機器Ｔ１の電子機器ＩＤ、前記サブエリアＩＤを含む配信要求をコンテンツ配信システム１に送信する。なお、各サブエリアに対応する通信機器（アクセスポイント）が配信要求受信部２０を具備してもよい。なお、本明細書中においては電子機器ＩＤを、機器識別情報と称してもよい。
【００１８】
なお、電子機器Ｔ１は、配信要求を送信する直前に機器本体が位置するサブエリアのサブエリアＩＤをコンテンツ配信システム１から取得し、電子機器ＩＤ、前記直前に取得したサブエリアＩＤを含む配信要求をコンテンツ配信システム１に送信してもよい。また、電子機器Ｔ１は、定期的に機器本体が位置するサブエリアのサブエリアＩＤをコンテンツ配信システム１から取得し、電子機器ＩＤ、最後に取得したサブエリアＩＤ（最新のサブエリアＩＤ）を含む配信要求をコンテンツ配信システム１に送信してもよい。
【００１９】
一方、電子機器Ｔ１は、サブエリアに属さない位置において配信要求を送信した場合、前記電子機器Ｔ１の電子機器ＩＤ、サブエリア外に位置する旨の情報（例えば、サブエリアＩＤ＝空欄）を含む配信要求をコンテンツ配信システム１に送信する。
【００２０】
なお、サブエリアに属さない位置において、電子機器Ｔ１は、配信要求をコンテンツ配信システム１に送信できなくてもよい。つまり、サブエリア外に位置している電子機器Ｔ１は、配信要求をコンテンツ配信システム１に送信しなくてもよい。
【００２１】
なお、電子機器Ｔ１が位置検出部（例えば、ＧＰＳ）を備える場合には、位置情報として、サブエリアに関する情報に代えて、位置検出部によって検出された座標情報を使用してもよい。つまり、電子機器Ｔ１は、サブエリアに属するある位置において配信要求を送信した場合（サブエリアに属さない位置において配信要求を送信できた場合も同様）、前記電子機器Ｔ１の電子機器ＩＤ、前記電子機器Ｔ１の座標情報を含む配信要求をコンテンツ配信システム１に送信してもよい。
【００２２】
配信許否判定部３２は、配信要求を送信した電子機器Ｔ１へのコンテンツの配信許否を判定する。具体的には、配信許否判定部３２は、何れかのサブエリア内から配信要求が送信された場合にはコンテンツの配信を許可し、サブエリア外から配信要求が送信された場合にはコンテンツの配信を拒否する。即ち、配信許否判定部３２は、配信要求の送信位置がサブエリア内であればコンテンツの配信を許可し、配信要求の送信位置がサブエリア外であればコンテンツの配信を拒否する。
【００２３】
より詳細には、配信要求内の位置情報としてサブエリアに関する情報を使用する場合には、配信許否判定部３２は、配信要求に何れかのサブエリアのサブエリアＩＤが含まれていた場合にはコンテンツの配信を許可し、配信要求に何れのサブエリアのサブエリアＩＤも含まれていなかった場合にはコンテンツの配信を拒否する。
【００２４】
なお、配信要求内の位置情報として座標情報を利用する場合には、配信許否判定部３２は、各サブエリアの座標情報を記憶したサブエリア座標情報（非図示）を参照し、配信要求に何れかのサブエリアに対応する座標情報が含まれていた場合にはコンテンツの配信を許可し、配信要求に何れのサブエリアに対応する座標情報も含まれていなかった場合にはコンテンツの配信を拒否する。
【００２５】
なお、サブエリア外に位置している電子機器Ｔ１が配信要求をコンテンツ配信システム１に送信しない場合には、配信許否判定部３２は配信要求をそもそも受信していないため、コンテンツの配信を許可することはない。
【００２６】
コンテンツ選択部３４は、配信許否判定部３２によって配信を許可された電子機器Ｔ１に配信するコンテンツをコンテンツ記憶部９０から選択する。具体的には、コンテンツ選択部３４は、配信要求の送信位置が属するサブエリアに対応するコンテンツをコンテンツ記憶部９０から選択する。
【００２７】
コンテンツ配信部４０は、コンテンツ選択部３４によって選択されたコンテンツを配信する。なお、各サブエリアに対応する通信機器がコンテンツ配信部４０を具備してもよい。配信実績記憶部９３は、コンテンツ配信部４０による配信の実績を示した配信実績情報を記憶する。配信実績情報は、電子機器ＩＤ、コンテンツＩＤ、サブエリアＩＤの１つ以上を含むものであってもよい。
【００２８】
貢献ポイント算出部５０は、売上情報記憶部９１内の売上情報と、配信実績記憶部９３内の配信実績情報とに基づいて、コンテンツ配信システム１によるコンテンツ配信サービスの貢献ポイントを算出する。換言すれば、貢献ポイント算出部５０は、コンテンツ配信システム１によるコンテンツ配信サービスの特定エリアＡ１側に対する貢献度を算出する。貢献ポイント算出部５０は、特定エリアＡ１の特性に応じた計算式を用いて貢献ポイントを算出してもよい。
【００２９】
例えば、貢献ポイント算出部５０は、下記の計算式（１）又は計算式（２）の何れか一方を用いて貢献ポイントを算出してもよい。計算式（１）（２）において、Ｐは貢献ポイント、Ｐ１は売上情報内の入場料をポイント化した入場ポイント（入場料ａ円＝１ポイント）、Ｐ２は配信実績情報内のコンテンツ配信数をポイント化した配信ポイント（１配信＝ｂポイント）である。ａ、ｂは所定の値（係数）である。
【００３０】
Ｐ＝Ｐ１＋Ｐ２…（１）
Ｐ＝Ｐ２／Ｐ１…（２）
【００３１】
なお、計算式（１）（２）は例示であって、貢献ポイント算出部５０は、入場ポイントＰ１、配信ポイントＰ２を変数として含む他の計算式を用いて、貢献ポイントＰを算出してもよい。
【００３２】
ポイント記憶部９４は、貢献ポイント算出部５０によって算出された貢献ポイントを記憶する。即ち、ポイント記憶部９４は、コンテンツ配信システム１によるコンテンツ配信サービスの特定エリアＡ１側に対する貢献度を記憶する。
【００３３】
なお、使用料金を設定してコンテンツ配信システム１を特定エリアＡ１に導入する場合、例えば、月々の使用料金の一部又は全部が、過去の貢献ポイントに応じて変動するようにしてもよい。また、リース契約によってコンテンツ配信システム１を特定エリアＡ１に導入する場合、例えば、月々のリース金額の一部又は全部が、過去の貢献ポイントに応じて変動するようにしてもよい。なお、コンテンツ配信システム２（後述）、コンテンツ配信システム３（後述）、コンテンツ配信システム４（後述）を導入する場合も同様である。
【００３４】
図３Ａ、図３Ｂ及び図３Ｃは、コンテンツ配信システム１の動作の一例を示すフローチャートである。図３Ａのフローチャートは、特定エリアＡ１に入場する際の動作を示している。図３Ａのフローチャートは、特定エリアＡ１の入場口に配属された従業員の動作、又は、入場口における入場者の動作によって開始する。図３Ｂのフローチャートは、コンテンツを配信する際の動作を示している。図３Ｂのフローチャートは、電子機器Ｔ１によるコンテンツの配信要求の送信によって開始する。図３Ｃのフローチャートは、貢献ポイントを算出する際の動作を示している。図３Ｃのフローチャートは、所定の日時に開始（バッチ処理）、又は、コンテンツ配信システム１の管理者の所定の操作によって開始する。
【００３５】
図３Ａにおいて、売上情報取得部１０は、特定エリアＡ１内への入場料を含む売上情報を取得する（ステップＳ１０）。売上情報を取得した売上情報取得部１０は、前記売上情報を売上情報記憶部９１に記憶する（ステップＳ１２）。そして、図３Ａのフローチャートは終了する。
【００３６】
以上、図３Ａのフローチャートが示すように、特定エリアＡ１内に人（自身が所有する電子機器Ｔ１を持参する人、若しくは貸与によって電子機器Ｔ１を持つ人、又は、電子機器Ｔ１を持たない人）が入場する度に、売上情報記憶部９１には売上情報が蓄積される。
【００３７】
図３Ｂにおいて、配信要求受信部２０は、コンテンツの配信要求を電子機器Ｔ１から受信する（ステップＳ３０）。配信要求受信部２０は、前記配信要求を配信許否判定部３２に出力する。配信許否判定部３２は、前記電子機器Ｔ１へのコンテンツの配信許否を判定する（ステップＳ３２）。具体的には、配信許否判定部３２は、配信要求受信部２０から取得した配信要求に含まれる位置情報に基づいて、前記配信要求の送信位置がサブエリア内であればコンテンツの配信を許可し、前記配信要求の送信位置がサブエリア外であればコンテンツの配信を拒否する。
【００３８】
ステップＳ３２において、コンテンツの配信を許可した場合（ステップＳ３２：Ｙｅｓ）、配信許否判定部３２は、配信要求受信部２０から取得した配信要求（又は、前記配信要求に含まれる電子機器ＩＤ）と、前記配信要求の送信位置が属するサブエリアのサブエリアＩＤとをコンテンツ選択部３４に出力する。コンテンツ選択部３４は、配信要求の送信位置が属するサブエリアに対応するコンテンツをコンテンツ記憶部９０から選択する（ステップＳ３４）。具体的には、コンテンツ選択部３４は、配信許否判定部３２から取得したサブエリアＩＤに対応するコンテンツをコンテンツ記憶部９０から選択する。コンテンツを選択したコンテンツ選択部３４は、前記電子機器Ｔ１の電子機器ＩＤ（配信許否判定部３２から取得した配信要求に含まれる電子機器ＩＤ、又は、配信許否判定部３２から取得した電子機器ＩＤ）とともに、選択したコンテンツをコンテンツ配信部４０に出力する。コンテンツ配信部４０は、コンテンツ選択部３４から取得した電子機器ＩＤの電子機器Ｔ１に、コンテンツ選択部３４から取得したコンテンツを配信する（ステップＳ３６）。コンテンツを配信したコンテンツ配信部４０は、前記コンテンツの配信実績情報を配信実績記憶部９３に記憶する（ステップＳ３８）。そして、図３Ｂのフローチャートは終了する。
【００３９】
なお、コンテンツ配信部４０は、コンテンツ選択部３４から取得した電子機器ＩＤを含む配信実績情報を配信実績記憶部９３に記憶してもよい。また、コンテンツ配信部４０は、コンテンツＩＤを含む配信実績情報を配信実績記憶部９３に記憶してもよい。なお、コンテンツＩＤを含む配信実績情報を配信実績記憶部９３に記憶する場合には、コンテンツ選択部３４は、前記電子機器Ｔ１の電子機器ＩＤ、及び、選択したコンテンツに加え、選択したコンテンツのコンテンツＩＤをコンテンツ配信部４０に出力する。また、コンテンツ配信部４０は、サブエリアＩＤを含む配信実績情報を配信実績記憶部９３に記憶してもよい。なお、サブエリアＩＤを含む配信実績情報を配信実績記憶部９３に記憶する場合には、コンテンツ選択部３４は、前記電子機器Ｔ１の電子機器ＩＤ、及び、選択したコンテンツに加え、配信許否判定部３２から取得したサブエリアＩＤをコンテンツ配信部４０に出力する。
【００４０】
一方、ステップＳ３２において、コンテンツの配信を拒否した場合（ステップＳ３２：Ｎｏ）、ステップＳ３４、Ｓ３６、Ｓ３８を飛ばして、図３Ｂのフローチャートは終了する。
【００４１】
以上、図３Ｂのフローチャートが示すように、特定エリアＡ１内の人（自身が所有する電子機器Ｔ１を持参する人、若しくは貸与によって電子機器Ｔ１を持つ人）にコンテンツを配信する度に、配信実績記憶部９３に配信実績情報が蓄積される。
【００４２】
図３Ｃにおいて、貢献ポイント算出部５０は、売上情報記憶部９１内の売上情報と、配信実績記憶部９３内の配信実績情報とに基づいて、コンテンツ配信システム１によるコンテンツ配信サービスの貢献ポイントを算出する（ステップＳ５０）。貢献ポイントを算出した貢献ポイント算出部５０は、前記貢献ポイントをポイント記憶部９４に記憶する（ステップＳ５２）。そして、図３Ｃのフローチャートは終了する。
【００４３】
以上、図３Ａ、図３Ｂ及び図３Ｃのフローチャートが示すように、コンテンツ配信システム１によるコンテンツ配信サービスの貢献ポイントは、特定エリアＡ１に人が入場する度に売上情報記憶部９１内に蓄積された売上情報と、特定エリアＡ１内の人にコンテンツを配信する度に配信実績記憶部９３に蓄積された配信実績情報とに基づいて、算出される。
【００４４】
（コンテンツ配信システム１の適用例１／動物園）
特定エリアＡ１は、動物園内である。サブエリアは、各動物（例えば、象、ライオン、…）の鑑賞エリア毎に設定する。コンテンツ記憶部９０には、サブエリア毎（即ち、動物毎）に、各動物に関係する振動情報等を記憶しておく。例えば、コンテンツ記憶部９０には、象のサブエリアに対応付けて、象が歩いている様子を録画した動画像情報とともに象の動きに合わせた振動情報（象が歩く際の振動の振動情報）を記憶し、ライオンのサブエリアに対応付けて、ライオンが狩をしている様子を解説した音声情報とともにライオンが獲物を追う際の振動の振動情報を記憶しておく。
【００４５】
コンテンツ配信システム１は、例えば、象の鑑賞エリア（象のサブエリア）内に位置する電子機器Ｔ１からコンテンツの配信要求を受信した場合、象の鑑賞エリアに応じたコンテンツ（象が歩いている様子を録画した動画像情報、象の動きに合わせた振動情報）を電子機器Ｔ１に配信する。また、コンテンツ配信システム１は、ライオンの鑑賞エリア（ライオンのサブエリア）内に位置する電子機器Ｔ１からコンテンツの配信要求を受信した場合、ライオンの鑑賞エリアに応じたコンテンツ（ライオンが狩をしている様子を解説した音声情報、ライオンが獲物を追う際の振動の振動情報）を電子機器Ｔ１に配信する。
【００４６】
つまり、電子機器Ｔ１のユーザは、象の近くでコンテンツを要求した場合には、象に関係した振動情報等を得ることができ、ライオンの近くでコンテンツを要求した場合には、ライオンに関係した振動情報等を得ることができる。
【００４７】
また、コンテンツ配信システム１は、入場時に取得する入場料を含む売上情報、コンテンツの配信実績情報（全配信数、動物別配信数、電子機器別配信数等）を記憶し、記憶した売上情報、配信実績情報を利用して、前記コンテンツ配信システム１によるコンテンツ配信サービスの動物園に対する貢献度を算出することができる。
【００４８】
（コンテンツ配信システム１の適用例２／鉄道博物館）
特定エリアＡ１は、鉄道博物館内である。サブエリアは、各車両（例えば、ＡＡ系（○○系）、ＢＢ系（××系）、…）の展示エリア毎に設定する。コンテンツ記憶部９０には、鉄道に関するコンテンツとして、サブエリア毎（即ち、車両毎）に、各車両に関係する振動情報等を記憶しておく。例えば、コンテンツ記憶部９０には、ＡＡ系のサブエリアに対応付けて、ＡＡ系が走行している様子を録画した動画像情報とともにＡＡ系の動きに合わせた振動情報（ＡＡ系が発進時、走行中、停車時の振動の振動情報）を記憶し、ＢＢ系のサブエリアに対応付けて、ＢＢ系の歴史を解説した音声情報とともにＢＢ系の客室内の揺れを再現した振動情報を記憶しておく。
【００４９】
コンテンツ配信システム１は、例えば、ＡＡ系の展示エリア（ＡＡ系のサブエリア）内に位置する電子機器Ｔ１からコンテンツの配信要求を受信した場合、ＡＡ系の展示エリアに応じたコンテンツ（ＡＡ系が走行している様子を録画した動画像情報、ＡＡ系の動きに合わせた振動情報）を電子機器Ｔ１に配信する。また、コンテンツ配信システム１は、ＢＢ系の展示エリア（ＢＢ系のサブエリア）内に位置する電子機器Ｔ１からコンテンツの配信要求を受信した場合、ＢＢ系の展示エリアに応じたコンテンツ（ＢＢ系の歴史を解説した音声情報、ＢＢ系の客室内の揺れを再現した振動情報）を電子機器Ｔ１に配信する。
【００５０】
つまり、電子機器Ｔ１のユーザは、ＡＡ系の近くでコンテンツを要求した場合には、ＡＡ系に関係した振動情報等を得ることができ、ＢＢ系の近くでコンテンツを要求した場合には、ＢＢ系に関係した振動情報等を得ることができる。
【００５１】
また、コンテンツ配信システム１は、入場時に取得する売上情報、コンテンツの配信実績情報（全配信数、車両別配信数、電子機器別配信数等）を記憶し、記憶した売上情報、配信実績情報を利用して、前記コンテンツ配信システム１によるコンテンツ配信サービスの鉄道博物館に対する貢献度を算出することができる。
【００５２】
［第２の実施形態］
本発明の第２の実施形態によるコンテンツ配信システム２は、特定エリア内に存在する移動電子機器（以下、電子機器Ｔ２と称する）にコンテンツを配信するコンテンツ配信サービスを提供する。コンテンツ配信システム２を適用する特定エリア（以下、特定エリアＡ２と称する）は、何かしらのイベント（事象）が発生する空間であればよく、屋内、屋外を問わない。特定エリアＡ２の一例は、スポーツ競技場（例えば、野球場）である。なお、特定エリアＡ１と同様、特定エリアＡ２にもサブエリアを設定してもよい。なお、電子機器Ｔ２の構成は、電子機器Ｔ１と同様であってもよい。なお、特定エリアＡ２が野球場の場合、ホームラン、盗塁などがイベントに相当する。
【００５３】
図４は、コンテンツ配信システム２の機能ブロック図の一例である。図５は、コンテンツ記憶部９０に記憶される情報の一例である。
【００５４】
コンテンツ配信システム２は、図４に示すように、売上情報取得部１１０、配信要求受信部１２０、配信許否判定部１３２、コンテンツ選択部１３４、コンテンツ配信部１４０、貢献ポイント算出部１５０、コンテンツ記憶部１９０、売上情報記憶部１９１、配信実績記憶部１９３、及び、ポイント記憶部１９４を備える。なお、コンテンツ配信システム２が備える売上情報取得部１１０、売上情報記憶部１９１、配信実績記憶部１９３及びポイント記憶部１９４は、コンテンツ配信システム１が備える売上情報取得部１０、売上情報記憶部９１、配信実績記憶部９３及びポイント記憶部９４と同様であるため、説明の一部又は全部を省略する。
【００５５】
コンテンツ記憶部１９０は、コンテンツ配信システム２にて配信するコンテンツを記憶する。コンテンツ記憶部１９０に記憶されるコンテンツは、前記コンテンツを受信した電子機器Ｔ２の筐体を振動させる振動情報である。なお、コンテンツ記憶部１９０は、コンテンツとして、振動情報に加え、動画像情報、静止画像情報、音声情報などを記憶してもよい。
【００５６】
具体的には、コンテンツ記憶部１９０は、特定エリアＡ２内において発生するイベントに応じたコンテンツ（少なくとも振動情報を含む）を記憶する。例えば、コンテンツ記憶部１９０は、図５（ａ）に示すように、イベントを識別するイベントＩＤに対応付けてイベントの発生日時を記憶する。さらに、コンテンツ記憶部１９０は、図５（ｂ）に示すように、イベントＩＤに対応付けてコンテンツＩＤを記憶する。さらに、コンテンツ記憶部１９０は、図５（ｃ）に示すように、コンテンツＩＤに対応付けてコンテンツを記憶する。なお、図５の例によれば、コンテンツ記憶部１９０は、日時「ＤＤ１ＨＨ１ＭＭ１」に発生したイベントＩＤ「Ｅ００１」のイベントに応じたコンテンツとして振動情報ｋ、日時「ＤＤ２ＨＨ２ＭＭ２」に発生したイベントＩＤ「Ｅ００２」のイベントに応じたコンテンツとして振動情報ｌ、日時「ＤＤ３ＨＨ３ＭＭ３」に発生したイベントＩＤ「Ｅ００３」のイベントに応じたコンテンツとして振動情報ｎ及び動画情報ｑを記憶している。
【００５７】
なお、特定エリアＡ２において実際にイベントが発生した後に前記イベントに関係するコンテンツをコンテンツ記憶部１９０に記憶する。例えば、特定エリアＡ２が野球場の場合、実際のイベント（例えば、ホームラン）の振動情報（例えば、バットとボールの衝突時の振動の振動情報）を現に発生したイベントを参考にして作成し、採番したイベントＩＤ、イベント発生時刻とともにコンテンツ記憶部１９０に記憶する。
【００５８】
また、特定エリアＡ２において実際にイベントが発生する前に前記イベントに関係するコンテンツをコンテンツ記憶部１９０に記憶してもよい。例えば、特定エリアＡ２が野球場の場合、想定したイベント毎（例えば、ホームランに関して、飛距離が小距離のホームラン、飛距離が中距離のホームラン、飛距離が大距離のホームラン、飛距離が特大のホームラン）の振動情報を事前に作成し、想定したイベント毎の振動パターン情報として、コンテンツ記憶部１９０に記憶しておく。特定エリアＡ２において実際にイベントが発生した場合には、現に発生したイベントを参考にして、現に発生したイベントに相当する振動パターン情報（事前作成の振動情報）を選択し、採番したイベントＩＤ、イベント発生時刻とともにコンテンツ記憶部１９０に記憶する。
【００５９】
なお、古いコンテンツ（イベント発生時刻から予め定めた時間を経過したコンテンツ）は、コンテンツ記憶部１９０から削除してもよい。
【００６０】
配信要求受信部１２０は、コンテンツの配信要求を電子機器Ｔ２から受信する。電子機器Ｔ２が送信する配信要求は、前記電子機器Ｔ２を識別する電子機器ＩＤを含む。また、電子機器Ｔ２が送信する配信要求は、電子機器Ｔ１が送信する配信要求と同様、電子機器ＩＤに加え、電子機器Ｔ２の位置情報（座標情報、又は、特定エリアＡ２にサブエリアを設定する場合には座標情報若しくはサブエリアＩＤ）を含んでもよい。なお、特定エリアＡ２内に設置する通信機器（特定エリアＡ２にサブエリアを設定する場合には各サブエリアに対応する通信機器）が配信要求受信部１２０を具備してもよい。コンテンツ配信システム４（後述）の配信要求受信部３２０も同様である。
【００６１】
配信許否判定部１３２は、配信要求を送信した電子機器Ｔ２へのコンテンツの配信許否を判定する。具体的には、配信許否判定部１３２は、イベントの発生時刻から所定時間内に配信要求が送信された場合にはコンテンツの配信を許可し、イベントの発生時刻から所定時間内に配信要求が送信されなかった場合にはコンテンツの配信を拒否する。
【００６２】
より詳細には、配信許否判定部１３２は、電子機器Ｔ２による配信要求の送信日時（若しくは、配信要求受信部１２０による配信要求の受信日時）が、コンテンツ記憶部１９０に記憶されている何れかのイベントのイベント発生日時から所定時間内であった場合にはコンテンツの配信を許可し、そうでない場合にはコンテンツの配信を拒否する。
【００６３】
なお、イベント発生後にコンテンツを作成する態様の場合、作成時間を要するため、前記イベントの発生直後には、前記イベントに関するコンテンツがコンテンツ記憶部１９０に未だ記憶されていない可能性がある。よって、配信許否判定部１３２は、イベントの発生から一定時間経過後に上記判定を行ってもよい。
【００６４】
コンテンツ選択部１３４は、配信許否判定部１３２によって配信を許可された電子機器Ｔ２に配信するコンテンツをコンテンツ記憶部１９０から選択する。例えば、コンテンツ選択部１３４は、配信要求の送信時刻前に最後に発生したイベントに対応するコンテンツをコンテンツ記憶部１９０から選択する。なお、コンテンツ選択部１３４は、電子機器Ｔ２による配信要求の送信日時（若しくは、配信要求受信部１２０による配信要求の受信日時）から所定時間内に発生したイベントに対応するコンテンツ（又は、所定時間内に発生したイベントに対応するコンテンツであって前記電子機器Ｔ２に未配信のコンテンツ）をコンテンツ記憶部１９０から選択してもよい。
【００６５】
コンテンツ配信部１４０は、コンテンツ選択部１３４によって選択されたコンテンツを配信する。なお、特定エリアＡ２内に設置する通信機器（特定エリアＡ２にサブエリアを設定する場合には各サブエリアに対応する通信機器）がコンテンツ配信部１４０を具備してもよい。コンテンツ配信システム４（後述）のコンテンツ配信部３４０も同様である。
配信実績記憶部１９３は、コンテンツ配信部１４０による配信の実績を示した配信実績情報を記憶する。配信実績情報は、電子機器ＩＤ、コンテンツＩＤ、イベントＩＤの１つ以上を含むものであってもよい。
【００６６】
貢献ポイント算出部１５０は、売上情報記憶部１９１内の売上情報と、配信実績記憶部１９３内の配信実績情報とに基づいて、コンテンツ配信システム２によるコンテンツ配信サービスの貢献ポイントを算出する。換言すれば、貢献ポイント算出部１５０は、コンテンツ配信システム２によるコンテンツ配信サービスの特定エリアＡ２側に対する貢献度を算出する。貢献ポイント算出部１５０は、コンテンツ配信システム１の貢献ポイント算出部５０と同様の計算式を用いて貢献ポイントを算出してもよい。
【００６７】
以上のように、コンテンツ配信システム２は、特定エリアＡ２において発生したイベントに応じたコンテンツを電子機器Ｔ２に配信するが、特定エリアＡ２にサブエリアを設定した場合には、コンテンツ配信システム２は、コンテンツ配信システム１と同様の方法を利用して、サブエリア別、イベント別のコンテンツを電子機器Ｔ２に配信してもよい。サブエリア別、イベント別のコンテンツを電子機器Ｔ２に配信する場合には、コンテンツ記憶部１９０には、サブエリア別イベント別のコンテンツを記憶する。
【００６８】
図６Ａ、図６Ｂ及び図６Ｃは、コンテンツ配信システム２の動作の一例を示すフローチャートである。図６Ａのフローチャートは、特定エリアＡ２に入場する際の動作を示している。図６Ａのフローチャートは、特定エリアＡ２の入場口に配属された従業員の動作、又は、入場口における入場者の動作によって開始する。図６Ｂのフローチャートは、コンテンツを配信する際の動作を示している。図６Ｂのフローチャートは、電子機器Ｔ２によるコンテンツの配信要求の送信によって開始する。図６Ｃのフローチャートは、貢献ポイントを算出する際の動作を示している。図６Ｃのフローチャートは、所定の日時に開始（バッチ処理）、又は、コンテンツ配信システム２の管理者の所定の操作によって開始する。
【００６９】
図６Ａにおいて、売上情報取得部１１０は、コンテンツ配信システム１の売上情報取得部１０と同様、特定エリアＡ２内への入場料を含む売上情報を取得する（ステップＳ１１０）。売上情報を取得した売上情報取得部１１０は、前記売上情報を売上情報記憶部１９１に記憶する（ステップＳ１１２）。そして、図６Ａのフローチャートは終了する。
【００７０】
図６Ｂにおいて、配信要求受信部１２０は、コンテンツの配信要求を電子機器Ｔ２から受信する（ステップＳ１３０）。配信要求受信部１２０は、前記配信要求を配信許否判定部１３２に出力する。配信許否判定部１３２は、前記電子機器Ｔ２へのコンテンツの配信許否を判定する（ステップＳ１３２）。具体的には、配信許否判定部１３２は、配信要求の送信日時（若しくは、配信要求の受信日時）に基づいて、送信日時（若しくは受信日時）が、コンテンツ記憶部１９０に記憶されている何れかのイベントのイベント発生日時から所定時間内であればコンテンツの配信を許可し、そうでなければコンテンツの配信を拒否する。
【００７１】
ステップＳ１３２において、コンテンツの配信を許可した場合（ステップＳ１３２：Ｙｅｓ）、配信許否判定部１３２は、配信要求受信部２０から取得した配信要求（又は、前記配信要求に含まれる電子機器ＩＤ）と、前記配信要求の送信日時（若しくは受信日時）とをコンテンツ選択部１３４に出力する。コンテンツ選択部１３４は、配信要求の送信日時（若しくは受信日時）前に最後に発生したイベントに対応するコンテンツをコンテンツ記憶部１９０から選択する（ステップＳ１３４）。コンテンツを選択したコンテンツ選択部１３４は、前記電子機器Ｔ２の電子機器ＩＤとともに、選択したコンテンツをコンテンツ配信部１４０に出力する。コンテンツ配信部１４０は、コンテンツ選択部１３４から取得した電子機器ＩＤの電子機器Ｔ２に、コンテンツ選択部１３４から取得したコンテンツを配信する（ステップＳ１３６）。コンテンツを配信したコンテンツ配信部１４０は、前記コンテンツの配信実績情報を配信実績記憶部１９３に記憶する（ステップＳ１３８）。
そして、図６Ｂのフローチャートは終了する。
【００７２】
なお、コンテンツ配信部１４０は、コンテンツ選択部１３４から取得した電子機器ＩＤを含む配信実績情報を配信実績記憶部１９３に記憶してもよい。また、コンテンツ配信部１４０は、コンテンツＩＤを含む配信実績情報を配信実績記憶部１９３に記憶してもよい。なお、コンテンツＩＤを含む配信実績情報を配信実績記憶部１９３に記憶する場合には、コンテンツ選択部１３４は、前記電子機器Ｔ２の電子機器ＩＤ、及び、選択したコンテンツに加え、選択したコンテンツのコンテンツＩＤをコンテンツ配信部１４０に出力する。また、コンテンツ配信部１４０は、イベントＩＤを含む配信実績情報を配信実績記憶部１９３に記憶してもよい。なお、イベントＩＤを含む配信実績情報を配信実績記憶部１９３に記憶する場合には、コンテンツ選択部１３４は、前記電子機器Ｔ２の電子機器ＩＤ、及び、選択したコンテンツに加え、配信要求の送信日時（若しくは受信日時）前に最後に発生したイベントのイベントＩＤをコンテンツ配信部１４０に出力する。
【００７３】
一方、ステップＳ１３２において、コンテンツの配信を拒否した場合（ステップＳ１３２：Ｎｏ）、ステップＳ１３４、Ｓ１３６、Ｓ１３８を飛ばして、図６Ｂのフローチャートは終了する。
【００７４】
図６Ｃにおいて、貢献ポイント算出部１５０は、売上情報記憶部１９１内の売上情報と、配信実績記憶部１９３内の配信実績情報とに基づいて、コンテンツ配信システム２によるコンテンツ配信サービスの貢献ポイントを算出する（ステップＳ１５０）。貢献ポイントを算出した貢献ポイント算出部１５０は、前記貢献ポイントをポイント記憶部１９４に記憶する（ステップＳ１５２）。そして、図６Ｃのフローチャートは終了する。
【００７５】
以上、図６Ａ、図６Ｂ及び図６Ｃのフローチャートが示すように、コンテンツ配信システム２によるコンテンツ配信サービスの貢献ポイントは、特定エリアＡ２に人が入場する度に売上情報記憶部１９１内に蓄積された売上情報と、特定エリアＡ２内の人にコンテンツを配信する度に配信実績記憶部１９３に蓄積された配信実績情報とに基づいて、算出される。
【００７６】
（コンテンツ配信システム２の適用例／野球場）
特定エリアＡ２は、野球場内である。コンテンツ記憶部１９０には、イベントの発生後に、前記イベントに関係する振動情報等を記憶する。例えば、ホームラン後には、前記ホームランの状況（例えば、打者の特徴、飛距離、打球方向）を参考にして、前記ホームランの振動情報（例えば、バットとボールの衝突時の振動の振動情報）を直ちに作成し、イベントＩＤ、イベント発生時刻とともにコンテンツ記憶部１９０に記憶する。また、盗塁後には、前記盗塁の状況（例えば、走者の特徴、スライディングの特徴、タッチの有無、盗塁の成否）を参考にして、前記盗塁の振動情報（例えば、走塁開始時、走塁中、走塁終了時の振動情報）を直ちに作成し、イベントＩＤ、イベント発生時刻、前記盗塁の様子を録画した動画情報とともにコンテンツ記憶部１９０に記憶する。
【００７７】
コンテンツ配信システム２は、例えば、あるホームランの直後に、電子機器Ｔ２からコンテンツの配信要求を受信した場合、前記ホームランの振動情報を電子機器Ｔ２に配信する。また、コンテンツ配信システム２は、ある盗塁の直後に、電子機器Ｔ２からコンテンツの配信要求を受信した場合、前記盗塁の振動情報、前記盗塁の様子を録画した動画情報を電子機器Ｔ２に配信する。
【００７８】
つまり、電子機器Ｔ２のユーザは、ホームランの直後にコンテンツを要求した場合には、前記ホームランに関係した振動情報等を得ることができ、盗塁の直後にコンテンツを要求した場合には、前記盗塁に関係した振動情報等を得ることができる。
【００７９】
また、コンテンツ配信システム２は、入場時に取得する入場料を含む売上情報、コンテンツの配信実績情報（全配信数、イベント別配信数、電子機器別配信数等）を記憶し、記憶した売上情報、配信実績情報を利用して、前記コンテンツ配信システム２によるコンテンツ配信サービスの野球場（又は球団）に対する貢献度を算出することができる。
【００８０】
［第３の実施形態］
本発明の第３の実施形態によるコンテンツ配信システム３は、コンテンツ配信システム１と同様、特定エリアＡ１（動物園、鉄道博物館等）に適用し、特定エリアＡ１内に存在する電子機器Ｔ１にコンテンツを配信するコンテンツ配信サービスを提供する。但し、コンテンツ配信システム３が提供するコンテンツ配信サービスは、無償のコンテンツ（以下、無償コンテンツと称する）、又は、有償のコンテンツ（以下、有償コンテンツと称する）を配信する。
【００８１】
図７は、コンテンツ配信システム３の機能ブロック図の一例である。図８は、コンテンツ記憶部２９０に記憶される情報の一例である。
【００８２】
コンテンツ配信システム３は、図７に示すように、売上情報取得部２１０、配信要求受信部２２０、有償コンテンツ請求権管理部２３０、配信許否判定部２３２、コンテンツ選択部２３４、コンテンツ配信部２４０、貢献ポイント算出部２５０、コンテンツ記憶部２９０、売上情報記憶部２９１、有償コンテンツ請求権情報記憶部２９２、配信実績記憶部２９３、及び、ポイント記憶部２９４を備える。
【００８３】
コンテンツ記憶部２９０は、コンテンツ配信システム３にて配信するコンテンツを記憶する。コンテンツ記憶部２９０に記憶されるコンテンツは、前記コンテンツを受信した電子機器Ｔ１の筐体を振動させる振動情報（無償コンテンツ、及び／又は、有償コンテンツ）である。なお、コンテンツ記憶部２９０は、コンテンツとして、振動情報に加え、動画像情報（無償コンテンツ、及び／又は、有償コンテンツ）、静止画像情報（無償コンテンツ、及び／又は、有償コンテンツ）、音声情報（無償コンテンツ、及び／又は、有償コンテンツ）などを記憶してもよい。
【００８４】
具体的には、コンテンツ記憶部２９０は、無償コンテンツと有償コンテンツと区別して、特定エリアＡ１内のサブエリアに応じたコンテンツ（少なくとも振動情報を含む）を記憶する。例えば、コンテンツ記憶部２９０は、図８（ａ）に示すように、サブエリアＩＤに対応付けてコンテンツＩＤを記憶する。さらに、コンテンツ記憶部２９０は、図８（ｂ）に示すように、コンテンツＩＤに対応付けて、無償コンテンツと有償コンテンツとを区別する無償有償区分、及び、コンテンツを記憶する。なお、図８の例によれば、例えば、コンテンツ記憶部２９０は、サブエリアＩＤ「Ｓ００１」のサブエリアに応じたコンテンツとして無償コンテンツである振動情報ａを記憶し、サブエリアＩＤ「Ｓ００２」のサブエリアに応じたコンテンツとして無償コンテンツである振動情報ｂ及び有償コンテンツである振動情報ｃを記憶し、サブエリアＩＤ「Ｓ００３」のサブエリアに応じたコンテンツとして無償コンテンツである振動情報ｄ及び動画情報ｇ並びに有償コンテンツである振動情報ｅ及び動画情報ｈを記憶している。
【００８５】
売上情報取得部２１０は、特定エリアＡ１内への入場料を含む売上情報（有償コンテンツの購入者の場合には有償コンテンツの購入料を更に含む売上情報）を取得する。有償コンテンツの購入者とは、有償コンテンツの配信を希望する者である。売上情報取得部２１０による売上情報の取得は、コンテンツ配信システム１の売上情報取得部１０の取得と同様である。なお、特定エリアＡ１の入場口に設置した電子機器（特定エリアＡ１に複数の入場口が存在する場合には複数の電子機器）が売上情報取得部２１０を具備してもよい。
【００８６】
売上情報取得部２１０は、売上情報記憶部２９１に売上情報を記憶する。また、売上情報取得部２１０は、有償コンテンツの購入料、電子機器Ｔ１の電子機器ＩＤを有償コンテンツ請求権管理部２３０に出力する。
【００８７】
有償コンテンツ請求権情報記憶部２９２は、電子機器Ｔ１の電子機器ＩＤに対応付けて、有償コンテンツの請求権を示す情報（以下、有償コンテンツ請求権情報と称する）を記憶する。有償コンテンツ請求権情報は、例えば、有償コンテンツの購入料、有償コンテンツの購入料に応じた値（例えば、有償コンテンツの配信可能数）である。
【００８８】
有償コンテンツ請求権管理部２３０は、有償コンテンツ請求権情報を管理する。具体的には、有償コンテンツ請求権管理部２３０は、あるユーザからの有償コンテンツの購入料の取得に応じて、前記ユーザの電子機器Ｔ1の電子機器ＩＤに対応する有償コンテンツ請求権を蓄積し、ある電子機器Ｔ１への有償コンテンツの配信に応じて、前記電子機器Ｔ１の電子機器ＩＤに対応する有償コンテンツ請求権を消費する。
【００８９】
より詳細には、有償コンテンツ請求権管理部２３０は、売上情報取得部２１０から有償コンテンツの購入情報を取得した場合、有償コンテンツ請求権情報記憶部２９２内の有償コンテンツ請求権情報を増加させる。また、有償コンテンツ請求権管理部２３０は、コンテンツ配信部２４０から有償コンテンツの配信実績情報を取得した場合、有償コンテンツ請求権情報記憶部２９２内の有償コンテンツ請求権情報を減少させる。
【００９０】
配信要求受信部２２０は、コンテンツの配信要求を電子機器Ｔ１から受信する。電子機器Ｔ１が送信する配信要求は、前記電子機器Ｔ１を識別する電子機器ＩＤ、前記電子機器Ｔ１の位置情報、有償コンテンツの指定情報を含む。換言すれば、配信要求受信部２２０は、電子機器ＩＤ及び位置情報を含む配信要求であって有償コンテンツを指定した配信要求、又は、電子機器ＩＤ及び位置情報を含む配信要求であって有償コンテンツを指定しない配信要求（若しくは、電子機器ＩＤ及び位置情報を含む配信要求であって無償コンテンツを指定した配信要求）の何れか一方の配信要求を電子機器Ｔ１から受信する。なお、各サブエリアに対応する通信機器（アクセスポイント）が配信要求受信部２２０を具備してもよい。
【００９１】
配信許否判定部２３２は、配信要求を送信した電子機器Ｔ１へのコンテンツの配信許否を判定する。具体的には、配信許否判定部２３２は、電子機器ＩＤ及び位置情報を含む配信要求であって有償コンテンツを指定しない配信要求（若しくは、電子機器ＩＤ及び位置情報を含む配信要求であって無償コンテンツを指定した配信要求）に対し、何れかのサブエリア内から前記配信要求が送信された場合には無償コンテンツの配信を許可し、そうでない場合には無償コンテンツの配信を拒否する。即ち、配信許否判定部２３２は、前記配信要求の送信位置がサブエリア内であれば無償コンテンツの配信を許可し、前記配信要求の送信位置がサブエリア外であれば無償コンテンツの配信を拒否する。
【００９２】
また、配信許否判定部２３２は、電子機器ＩＤ及び位置情報を含む配信要求であって有償コンテンツを指定した配信要求に対し、何れかのサブエリア内から前記配信要求が送信され、かつ、有償コンテンツ請求権情報記憶部２３０に前記移動電子機器Ｔの電子機器ＩＤに対応付けて、有償コンテンツの配信に必要となる有償コンテンツ請求権情報が記憶されている場合に、有償コンテンツの配信を許可し、そうでない場合には有償コンテンツの配信を拒否する。即ち、配信許否判定部２３２は、前記配信要求の送信位置がサブエリア内であって有償コンテンツの購入料を徴収していれば有償コンテンツの配信を許可し、前記配信要求の送信位置がサブエリア外であるか購入料を徴収していなければ有償コンテンツの配信を拒否する。
【００９３】
コンテンツ選択部２３４は、配信許否判定部２３２によって配信を許可された電子機器Ｔ１に配信するコンテンツをコンテンツ記憶部２９０から選択する。具体的には、コンテンツ選択部２３４は、電子機器ＩＤ及び位置情報を含む配信要求であって有償コンテンツを指定しない配信要求（若しくは、電子機器ＩＤ及び位置情報を含む配信要求であって無償コンテンツを指定した配信要求）に対し、配信要求の送信位置が属するサブエリアに対応する無償コンテンツをコンテンツ記憶部２９０から選択する。例えば、図８に示す情報がコンテンツ記憶部２９０に記憶されている場合に、配信要求の送信位置が属するサブエリアがサブエリアＩＤ「Ｓ００３」のサブエリアであったときは、コンテンツ選択部２３４は、無償コンテンツである振動情報ｄ、動画情報ｇを選択する。
【００９４】
また、コンテンツ選択部２３４は、電子機器ＩＤ及び位置情報を含む配信要求であって有償コンテンツを指定した配信要求に対し、配信要求の送信位置が属するサブエリアに対応する有償コンテンツをコンテンツ記憶部２９０から選択する。例えば、図８に示す情報がコンテンツ記憶部２９０に記憶されている場合に、配信要求の送信位置が属するサブエリアがサブエリアＩＤ「Ｓ００３」のサブエリアであったときは、コンテンツ選択部２３４は、有償コンテンツである振動情報ｅ、動画情報ｈを選択する。
【００９５】
コンテンツ配信部２４０は、コンテンツ選択部２３４によって選択されたコンテンツを配信する。なお、各サブエリアに対応する通信機器がコンテンツ配信部２４０を具備してもよい。配信実績記憶部２９３は、コンテンツ配信部２４０による配信の実績を示した配信実績情報（無償有償区分を含む）を記憶する。また、配信実績記憶部２９３に記憶する配信実績情報は、配信実績記憶部９３に記憶する配信実績情報と同様、電子機器ＩＤ、コンテンツＩＤ、サブエリアＩＤの１つ以上を含むものであってもよい。
【００９６】
なお、コンテンツ選択部２３４は、コンテンツ記憶部２９０から選択したコンテンツとともに、選択したコンテンツの無償有償区分をコンテンツ配信部２４０に出力し、コンテンツ配信部２４０は、無償有償区分を含む配信実績情報を配信実績記憶部２９３に記憶する。また、電子機器ＩＤ、コンテンツＩＤ、サブエリアＩＤを含む配信実績情報を配信実績記憶部２９３に記憶する方法は、コンテンツ配信システム１と同様である。
【００９７】
貢献ポイント算出部２５０は、売上情報記憶部２９１内の売上情報と、配信実績記憶部２９３内の配信実績情報とに基づいて、コンテンツ配信システム３によるコンテンツ配信サービスの貢献ポイントを算出する。換言すれば、貢献ポイント算出部２５０は、コンテンツ配信システム３によるコンテンツ配信サービスの特定エリアＡ１側に対する貢献度を算出する。貢献ポイント算出部２５０は、特定エリアＡ１の特性に応じた計算式を用いて貢献ポイントを算出してもよい。
【００９８】
例えば、貢献ポイント算出部２５０は、下記の計算式（３）又は計算式（４）の何れか一方を用いて貢献ポイントを算出してもよい。計算式（３）（４）において、Ｐは貢献ポイント、Ｐ１は売上情報内の入場料をポイント化した入場ポイント（入場料ａ円＝１ポイント）、Ｐ２は配信実績情報内の無償コンテンツのコンテンツ配信数をポイント化した配信ポイント（１配信＝ｂポイント）である。Ｐ３は売上情報内の有償コンテンツの購入料をポイント化した購入ポイント（購入料ｃ円＝１ポイント）、Ｐ４は配信実績情報内の有償コンテンツのコンテンツ配信数をポイント化した配信ポイント（１配信＝ｄポイント）である。ａ、ｂ、ｃ、ｄは所定の値（係数）である。
【００９９】
Ｐ＝Ｐ１＋Ｐ２＋Ｐ３＋Ｐ４…（３）
Ｐ＝（Ｐ２＋Ｐ４）／（Ｐ１＋Ｐ３）…（４）
【０１００】
なお、計算式（３）（４）は例示であって、貢献ポイント算出部２５０は、入場ポイントＰ１、無償コンテンツの配信ポイントＰ２、購入ポイントＰ３、有償コンテンツの配信ポイントＰ４を変数として含む他の計算式を用いて、貢献ポイントＰを算出してもよい。
【０１０１】
ポイント記憶部２９４は、貢献ポイント算出部２５０によって算出された貢献ポイントを記憶する。即ち、ポイント記憶部２９４は、コンテンツ配信システム３によるコンテンツ配信サービスの特定エリアＡ１側に対する貢献度を記憶する。
【０１０２】
（コンテンツ配信システム３の適用例１／動物園）
特定エリアＡ１は、動物園内である。サブエリアは、各動物の鑑賞エリア毎に設定する。コンテンツ記憶部２９０には、サブエリア毎に、無償コンテンツ、有償コンテンツの何れか一方又は両方を記憶しておく。例えば、コンテンツ記憶部２９０には、象のサブエリアに対応付けて、無償コンテンツとして、１頭の象が歩いている様子を録画した動画像情報とともに前記１頭の象の動きに合わせた振動情報（１頭の象が歩く際の振動の振動情報）を記憶し、有償コンテンツとして、複数頭の象が叫びながら走っている様子を録画した動画像情報とともに前記複数頭の象の動きに合わせた振動情報（複数頭の象が叫びながら走る際の振動の振動情報）を記憶しておく。
【０１０３】
コンテンツ配信システム３は、例えば、象の鑑賞エリア（象のサブエリア）内に位置する電子機器Ｔ１から無償コンテンツの配信要求を受信した場合、象の鑑賞エリアに応じた無償コンテンツ（１頭の象が歩いている様子を録画した動画像情報、前記１頭の象の動きに合わせた振動情報）を電子機器Ｔ１に配信する。また、コンテンツ配信システム３は、象の鑑賞エリア内に位置する電子機器Ｔ１から有償コンテンツの配信要求を受信した場合、象の鑑賞エリアに応じた有償コンテンツ（複数頭の象が叫びながら走っている様子を録画した動画像情報、前記複数頭の象の動きに合わせた振動情報）を電子機器Ｔ１に配信する。
【０１０４】
つまり、電子機器Ｔ１のユーザは、象の近くで無償コンテンツを要求した場合には、象に関係した無償の振動情報等を得ることができ、象の近くで有償コンテンツを要求した場合には、象に関係した有償の振動情報等を得ることができる。
【０１０５】
また、コンテンツ配信システム３は、入場時に取得する入場料を含む売上情報（有償コンテンツの購入者の場合には更に購入料を含む）、コンテンツの配信実績情報（無償有償区分別の配信数、動物別配信数、電子機器別配信数等）を記憶し、記憶した売上情報、配信実績情報を利用して、前記コンテンツ配信システム３によるコンテンツ配信サービスの動物園に対する貢献度を算出することができる。
【０１０６】
（コンテンツ配信システム３の適用例２／鉄道博物館）
特定エリアＡ１は、鉄道博物館内である。サブエリアは、各車両の展示エリア毎に設定する。コンテンツ記憶部２９０には、サブエリア毎に、無償コンテンツ、有償コンテンツの何れか一方又は両方を記憶しておく。例えば、コンテンツ記憶部２９０には、ＡＡ系のサブエリアに対応付けて、無償コンテンツとして、ＡＡ系が田園地域を走行している時の音声情報、振動情報を記憶し、有償コンテンツとして、ＡＡ系が鉄橋を走行している時の音声情報、振動情報を記憶しておく。
【０１０７】
コンテンツ配信システム３は、例えば、ＡＡ系の展示エリア（ＡＡ系のサブエリア）内に位置する電子機器Ｔ１から無償コンテンツの配信要求を受信した場合、ＡＡ系の展示エリアに応じた無償コンテンツ（ＡＡ系が田園地域を走行している時の音声情報、振動情報）を電子機器Ｔ１に配信する。また、コンテンツ配信システム３は、ＡＡ系の展示エリア内に位置する電子機器Ｔ１から有償コンテンツの配信要求を受信した場合、ＡＡ系の展示エリアに応じた有償コンテンツ（ＡＡ系が鉄橋を走行している時の音声情報、振動情報）を電子機器Ｔ１に配信する。
【０１０８】
つまり、電子機器Ｔ１のユーザは、ＡＡ系の近くで無償コンテンツを要求した場合には、ＡＡに関係した無償の振動情報等を得ることができ、ＡＡ系の近くで有償コンテンツを要求した場合には、ＡＡに関係した有償の振動情報等を得ることができる。
【０１０９】
また、コンテンツ配信システム３は、入場時に取得する入場料を含む売上情報（有償コンテンツの購入者の場合には更に購入料を含む）、コンテンツの配信実績情報（無償有償区分別の配信数、車両別配信数、電子機器別配信数等）を記憶し、記憶した売上情報、配信実績情報を利用して、前記コンテンツ配信システム３によるコンテンツ配信サービスの鉄道博物館に対する貢献度を算出することができる。
【０１１０】
［第４の実施形態］
本発明の第４の実施形態によるコンテンツ配信システム４は、コンテンツ配信システム２と同様、特定エリアＡ２（野球場等）に適用し、特定エリアＡ２内に存在する電子機器Ｔ２にコンテンツを配信するコンテンツ配信サービスを提供する。但し、コンテンツ配信システム４が提供するコンテンツ配信サービスは、無償コンテンツ又は有償コンテンツを配信する。
【０１１１】
図９は、コンテンツ配信システム４の機能ブロック図の一例である。図１０は、コンテンツ記憶部３９０に記憶される情報の一例である。
【０１１２】
コンテンツ配信システム４は、図９に示すように、売上情報取得部３１０、配信要求受信部３２０、有償コンテンツ請求権管理部３３０、配信許否判定部３３２、コンテンツ選択部３３４、コンテンツ配信部３４０、貢献ポイント算出部３５０、コンテンツ記憶部３９０、売上情報記憶部３９１、有償コンテンツ請求権情報記憶部３９２、配信実績記憶部３９３、及び、ポイント記憶部３９４を備える。なお、コンテンツ配信システム４が備える売上情報取得部３１０、有償コンテンツ請求権管理部３３０、売上情報記憶部３９１、有償コンテンツ請求権情報記憶部３９２、配信実績記憶部３９３及びポイント記憶部３９４は、コンテンツ配信システム３が備える売上情報取得部２１０、有償コンテンツ請求権管理部２３０、売上情報記憶部２９１、有償コンテンツ請求権情報記憶部２９２、配信実績記憶部２９３及びポイント記憶部２９４と同様であるため、説明の一部又は全部を省略する。
【０１１３】
コンテンツ記憶部３９０は、コンテンツ配信システム４にて配信するコンテンツを記憶する。コンテンツ記憶部３９０に記憶されるコンテンツは、前記コンテンツを受信した電子機器Ｔ２の筐体を振動させる振動情報（無償コンテンツ、及び／又は、有償コンテンツ）である。なお、コンテンツ記憶部３９０は、コンテンツとして、振動情報に加え、動画像情報（無償コンテンツ、及び／又は、有償コンテンツ）、静止画像情報（無償コンテンツ、及び／又は、有償コンテンツ）、音声情報（無償コンテンツ、及び／又は、有償コンテンツ）などを記憶してもよい。
【０１１４】
具体的には、コンテンツ記憶部３９０は、無償コンテンツと有償コンテンツと区別して、特定エリアＡ２内において発生するイベントに応じたコンテンツ（少なくとも振動情報を含む）を記憶する。例えば、コンテンツ記憶部３９０は、図１０（ａ）に示すように、イベントＩＤに対応付けてイベントの発生日時を記憶する。さらに、コンテンツ記憶部３９０は、図１０（ｂ）に示すように、イベントＩＤに対応付けてコンテンツＩＤを記憶する。さらに、コンテンツ記憶部３９０は、図１０（ｃ）に示すように、コンテンツＩＤに対応付けて、無償コンテンツと有償コンテンツとを区別する無償有償区分、及び、コンテンツを記憶する。なお、図１０の例によれば、例えば、コンテンツ記憶部３９０は、日時「ＤＤ３ＨＨ３ＭＭ３」に発生したイベントＩＤ「Ｅ００３」のイベントに応じたコンテンツとして無償コンテンツである振動情報ｎ及び動画情報ｑ並びに有償コンテンツである振動情報ｏ及び動画情報ｒを記憶している。
【０１１５】
なお、コンテンツ記憶部３９０へのコンテンツの記憶方法は、コンテンツ配信システム２が備えるコンテンツ記憶部１９０へのコンテンツの記憶方法と同様である。また、古いコンテンツ（イベント発生時刻から予め定めた時間を経過したコンテンツ）は、コンテンツ記憶部３９０から削除してもよい。
【０１１６】
配信要求受信部３２０は、コンテンツの配信要求を電子機器Ｔ２から受信する。電子機器Ｔ２が送信する配信要求は、前記電子機器Ｔ２を識別する電子機器ＩＤ、有償コンテンツの指定情報を含む。換言すれば、配信要求受信部３２０は、電子機器ＩＤを含む配信要求であって有償コンテンツを指定した配信要求、又は、電子機器ＩＤを含む配信要求であって有償コンテンツを指定しない配信要求（若しくは、電子機器ＩＤを含む配信要求であって無償コンテンツを指定した配信要求）の何れか一方の配信要求を電子機器Ｔ２から受信する。
【０１１７】
配信許否判定部３３２は、配信要求を送信した電子機器Ｔ２へのコンテンツの配信許否を判定する。具体的には、配信許否判定部３３２は、電子機器ＩＤを含む配信要求であって有償コンテンツを指定しない配信要求（若しくは、電子機器ＩＤを含む配信要求であって無償コンテンツを指定した配信要求）に対し、イベントの発生時刻から所定時間内に配信要求が送信された場合には無償コンテンツの配信を許可し、イベントの発生時刻から所定時間内に配信要求が送信されなかった場合には無償コンテンツの配信を拒否する。即ち、配信許否判定部３３２は、電子機器Ｔ２による配信要求の送信日時（若しくは、配信要求受信部３２０による配信要求の受信日時）が、コンテンツ記憶部３９０に記憶されている何れかのイベントのイベント発生日時から所定時間内であった場合には無償コンテンツの配信を許可し、そうでない場合には無償コンテンツの配信を拒否する。
【０１１８】
また、配信許否判定部３３２は、電子機器ＩＤを含む配信要求であって有償コンテンツを指定した配信要求に対し、イベントの発生時刻から所定時間内に配信要求が送信され、かつ、有償コンテンツ請求権情報記憶部３３０に前記移動電子機器Ｔの電子機器ＩＤに対応付けて、有償コンテンツの配信に必要となる有償コンテンツ請求権情報が記憶されている場合に、有償コンテンツの配信を許可し、そうでない場合には有償コンテンツの配信を拒否する。即ち、配信許否判定部３３２は、電子機器Ｔ２による配信要求の送信日時（若しくは、配信要求受信部３２０による配信要求の受信日時）がコンテンツ記憶部３９０に記憶されている何れかのイベントのイベント発生日時から所定時間内であって有償コンテンツの購入料を徴収していれば有償コンテンツの配信を許可し、送信日時（受信日時）がイベント発生日時から所定時間内でないか、購入料を徴収していなければ、有償コンテンツの配信を拒否する。
【０１１９】
コンテンツ選択部３３４は、配信許否判定部３３２によって配信を許可された電子機器Ｔ２に配信するコンテンツをコンテンツ記憶部３９０から選択する。例えば、コンテンツ選択部３３４は、電子機器ＩＤを含む配信要求であって有償コンテンツを指定しない配信要求（若しくは、電子機器ＩＤを含む配信要求であって無償コンテンツを指定した配信要求）に対し、配信要求の送信時刻前に最後に発生したイベントに対応する無償コンテンツをコンテンツ記憶部３９０から選択する。例えば、図１０に示す情報がコンテンツ記憶部３９０に記憶されている場合に、配信要求の送信時刻前に最後に発生したイベントがイベントＩＤ「Ｅ００３」のイベントであったときは、コンテンツ選択部３３４は、無償コンテンツである振動情報ｎ、動画情報ｑを選択する。
【０１２０】
なお、コンテンツ選択部３３４は、電子機器Ｔ２による配信要求の送信日時（若しくは、配信要求受信部３２０による配信要求の受信日時）から所定時間内に発生したイベントに対応する無償コンテンツ（又は、所定時間内に発生したイベントに対応する無償コンテンツであって前記電子機器Ｔ２に未配信の無償コンテンツ）をコンテンツ記憶部３９０から選択してもよい。
【０１２１】
また、コンテンツ選択部３３４は、電子機器ＩＤを含む配信要求であって有償コンテンツを指定した配信要求に対し、配信要求の送信時刻前に最後に発生したイベントに対応する有償コンテンツをコンテンツ記憶部３９０から選択する。例えば、図１０に示す情報がコンテンツ記憶部３９０に記憶されている場合に、配信要求の送信時刻前に最後に発生したイベントがイベントＩＤ「Ｅ００３」のイベントであったときは、コンテンツ選択部３３４は、有償コンテンツである振動情報ｏ、動画情報ｒを選択する。
【０１２２】
コンテンツ配信部３４０は、コンテンツ選択部３３４によって選択されたコンテンツを配信する。配信実績記憶部３９３は、コンテンツ配信部３４０による配信の実績を示した配信実績情報（無償有償区分を含む）を記憶する。配信実績記憶部３９３に記憶する配信実績情報は、配信実績記憶部１９３に記憶する配信実績情報と同様、電子機器ＩＤ、コンテンツＩＤ、イベントＩＤの１つ以上を含むものであってもよい。
【０１２３】
なお、コンテンツ選択部３３４は、コンテンツ記憶部３９０から選択したコンテンツとともに、選択したコンテンツの無償有償区分をコンテンツ配信部３４０に出力し、コンテンツ配信部３４０は、無償有償区分を含む配信実績情報を配信実績記憶部３９３に記憶する。また、電子機器ＩＤ、コンテンツＩＤ、イベントＩＤを含む配信実績情報を配信実績記憶部３９３に記憶する方法は、コンテンツ配信システム２と同様である。
【０１２４】
貢献ポイント算出部３５０は、売上情報記憶部３９１内の売上情報と、配信実績記憶部３９３内の配信実績情報とに基づいて、コンテンツ配信システム４によるコンテンツ配信サービスの貢献ポイントを算出する。換言すれば、貢献ポイント算出部３５０は、コンテンツ配信システム４によるコンテンツ配信サービスの特定エリアＡ２側に対する貢献度を算出する。貢献ポイント算出部３５０は、コンテンツ配信システム３の貢献ポイント算出部２５０と同様の計算式を用いて貢献ポイントを算出してもよい。
【０１２５】
以上のように、コンテンツ配信システム４は、特定エリアＡ２において発生したイベントに応じた無償コンテンツ、及び／又は、有償コンテンツを電子機器Ｔ２に配信するが、特定エリアＡ２にサブエリアを設定した場合には、コンテンツ配信システム４は、コンテンツ配信システム１と同様の方法を利用して、サブエリア別、イベント別のコンテンツを電子機器Ｔ２に配信してもよい。サブエリア別、イベント別のコンテンツを電子機器Ｔ２に配信する場合には、コンテンツ記憶部３９０には、サブエリア別イベント別のコンテンツを記憶する。
【０１２６】
（コンテンツ配信システム４の適用例／野球場）
特定エリアＡ２は、野球場内である。コンテンツ記憶部３９０には、イベントの発生後に、前記イベントに関係する振動情報等を記憶する。コンテンツ配信システム４は、例えば、ホームラン後には、無償コンテンツとして、前記ホームランの概略状況（例えば、飛距離）に基づく振動情報等を直ちに作成し、有償コンテンツとして、前記ホームランの詳細状況（例えば、打者の特徴、飛距離、打球方向、天気）に基づく振動情報等を直ちに作成し、イベントＩＤ、イベント発生時刻とともにコンテンツ記憶部３９０に記憶する。
【０１２７】
コンテンツ配信システム４は、例えば、あるホームランの直後に、電子機器Ｔ２から無償コンテンツの配信要求を受信した場合には、前記ホームランの概略状況に基づいて作成した振動情報を電子機器Ｔ２に配信し、電子機器Ｔ２から有償コンテンツの配信要求を受信した場合には、前記ホームランの詳細状況に基づいて作成した振動情報を電子機器Ｔ２に配信する。
【０１２８】
つまり、電子機器Ｔ２のユーザは、ホームランの直後に、無償コンテンツを要求した場合には前記ホームランに関係した無償の振動情報等を得ることができ、有償コンテンツを要求した場合には前記ホームランに関係した有償の振動情報等を得ることができる。
【０１２９】
また、コンテンツ配信システム４は、入場時に取得する入場料を含む売上情報（有償コンテンツの購入者の場合には更に購入料を含む）、コンテンツの配信実績情報（無償有償区分別の配信数、イベント別配信数、電子機器別配信数等）を記憶し、記憶した売上情報、配信実績情報を利用して、前記コンテンツ配信システム４によるコンテンツ配信サービスの野球場（又は球団）に対する貢献度を算出することができる。
【０１３０】
以上のように、コンテンツ配信システム１−４は、視覚又は聴覚だけではなく、触覚によっても楽しむことができる振動情報を配信するため、より娯楽性が高い。
また、コンテンツ配信システム１、３は、特定エリア内Ａ１に存在する複数の電子機器Ｔ１に対し、一律に同一のコンテンツを提供するのではなく、特定エリア内Ａ１にきめ細かく設定するサブエリアに応じて異なるコンテンツを配信できるため、より娯楽性が高い。
また、コンテンツ配信システム２、４は、特定エリアＡ２内に存在する複数の電子機器Ｔ２に対し、一律に同一のコンテンツを提供するのではなく、特定エリア内Ａ２にて発生するイベントに応じて異なるコンテンツを配信できるため、より娯楽性が高い。
また、コンテンツ配信システム３、４は、無償コンテンツと有償コンテンツとを選択的に配信できるため、より娯楽性が高い。
また、コンテンツ配信システム１−４は、計算式を用いて貢献ポイントを算出できるため、コンテンツ配信システムを導入後のシステムの評価（例えば、集客力のアップ、売上高のアップなどのシステム導入による特定エリア内に対する貢献度の算出）が容易である。
【０１３１】
なお、コンテンツ配信システム１（コンテンツ配信システム２−４についても同様）は、コンテンツの配信実績に応じて各コンテンツの作成者に特典を付与する特典付与部（非図示）を更に備えるようにしてもよい。例えば、コンテンツ配信システム１は、システムの提供者側が作成したコンテンツだけではなく、一般ユーザが作成したコンテンツ（例えば、鉄道マニアが作成したある車両の振動情報）も配信するようにする。コンテンツ配信システム１は、一般ユーザには自身が作成したコンテンツの配信実績に応じて特典を与えるようにする。
【０１３２】
具体的には、例えば、コンテンツ配信システム１のコンテンツ記憶部９０には、各コンテンツの作成者に関する情報（例えば、作成者ＩＤ）を記憶する。コンテンツ配信部４０は、コンテンツの配信後、作成者に関する情報を含む配信実績情報を配信実績記憶部９３に記憶する。特典付与部（非図示）は、配信実績記憶部９３を参照し、配信実績に応じて一般ユーザに特典（例えば、金品、特定エリアへの優待券、特典としてしか提供しない特別なコンテンツ）を付与する。
【０１３３】
なお、本発明の各実施形態によるコンテンツ配信システム１−４の各処理を実行するためのプログラムをコンピュータ読み取り可能な記録媒体に記録して、前記記録媒体に記録されたプログラムをコンピュータシステムに読み込ませ、実行することにより、本発明の各実施形態によるコンテンツ配信システム１−４の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１３５】
以上、この発明の実施形態について図面を参照して詳述してきたが、具体的な構成はこの実施形態に限られるものではなく、この発明の要旨を逸脱しない範囲の設計等も含まれる。
【符号の説明】
【０１３６】
１、２、３、４…コンテンツ配信システム
１０、１１０、２１０、３１０…売上情報取得部
２０、１２０、２２０、３２０…配信要求受信部
２３０、３３０…有償コンテンツ請求権管理部
３２、１３２、２３２、３３２…配信許否判定部
３４、１３４、２３４、３３４…コンテンツ選択部
４０、１４０、２４０、３４０…コンテンツ配信部
５０、１５０、２５０、３５０…貢献ポイント算出部
９０、１９０、２９０、３９０…コンテンツ記憶部
９１、１９１、２９１、３９１…売上情報記憶部
２９２、３９２…有償コンテンツ請求権情報記憶部
９３、１９３、２９３、３９３…配信実績記憶部
９４、１９４、２９４、３９４…ポイント記憶部
【図１】
2014021460.tif 000003
【図２】
2014021460.tif 000004
【図３Ａ】
2014021460.tif 000005
【図３Ｂ】
2014021460.tif 000006
【図３Ｃ】
2014021460.tif 000007
【図４】
2014021460.tif 000008
【図５】
2014021460.tif 000009
【図６Ａ】
2014021460.tif 000010
【図６Ｂ】
2014021460.tif 000011
【図６Ｃ】
2014021460.tif 000012
【図７】
2014021460.tif 000013
【図８】
2014021460.tif 000014
【図９】
2014021460.tif 000015
【図１０】
2014021460.tif 000016
【国際調査報告】
2014021460.tif 000017
2014021460.tif 000018
2014021460.tif 000019
2014021460.tif 000020